(57)【特許請求の範囲】
【請求項１】
光ディスクを固定する固定部を有するボトムとヒンジ部を介して前記ボトムに連結されたリッドとを備えた光ディスク収納ケースに装着するタイトルバーであって、
前記収納ケースの光透過性を有する背表紙部の内側スペースに装着可能な棒状をなし、
前記背表紙部の内側スペースに装着したときに前記ケースの背表紙部内面と対向するタイトル印字用の平面を有すると共に、
長手方向両端部のうちの少なくとも一方に長手方向に伸縮するバネ構造を有し、前記内側スペースに装着したときに前記収納ケースに係止する係止手段を備えている
ことを特徴とする光ディスク収納ケース用タイトルバー。
【請求項２】
直径１２ｃｍの光ディスクを収納するケースの背表紙部の内側スペースに嵌着する形状をなしている
ことを特徴とする請求項１に記載の光ディスク収納ケース用タイトルバー。
【請求項３】
１０ｍｍ、７ｍｍ、５ｍｍのうちの何れかの厚さを有する収納ケースの背表紙部の内側スペースに嵌着する形状をなしている
ことを特徴とする請求項１に記載の光ディスク収納ケース用タイトルバー。
【請求項４】
サーマルプリント可能なプラスチックからなることを特徴とする請求項１に記載の光ディスク収納ケース用タイトルバー。
【請求項５】
金属板からなることを特徴とする請求項１に記載の光ディスク収納ケース用タイトルバー。
【請求項６】
前記タイトル印字用の平面に水性インク対応コート剤がコーティングされていることを特徴とする請求項１に記載の光ディスク収納ケース用タイトルバー。
【請求項７】
前記収納ケースの内側に露出している前記ヒンジ部のヒンジ軸受け穴に嵌合する凸部が長手方向の両端に設けられている
ことを特徴とする請求項１に記載の光ディスク収納ケース用タイトルバー。
【請求項８】
光ディスクのレーベル面にタイトルを印刷するタイトルプリンターにおいて、
光ディスクを保持するトレイ上に上記請求項１記載のタイトルバーを保持する溝が、前記タイトルバーのタイトル印字面が印字可能領域に配置されるように設けられている
ことを特徴とするタイトルプリンター。
【発明の詳細な説明】
【０００１】
【発明の属する技術分野】
本発明は、直径１２ｃｍのコンパクトディスクなどの光ディスクを収納するケースに装着するタイトルバー及びタイトルプリンターに関するものである。
【０００２】
【従来の技術】
従来、１２ｃｍ光ディスクの代表格である音楽ＣＤおよびＤＶＤのパッケージは、図４１乃至図４３に示すように、厚さ１０ｍｍのジュエルケース２０に光ディスク３１が収納され、数十枚保管可能なＣＤケースやＣＤボックス、棚などに整理されて保管されることが多い。また、ジュエルケース２０の背表紙部２２ａに裏カードに印刷されたタイトルが現れる構造となっているため、保管場所から必要な光ディスク３１を素早く取り出せる検索性に優れた構成になっている。
【０００３】
ここで、図４１はジュエルケースの上面図、図４２は図４１におけるＡ−Ａ’線矢視方向の側面図、図４３は図４１におけるＢ−Ｂ’線矢視方向の断面図である。
【０００４】
図において、厚さ１０ｍｍのジュエルケース２０は、蓋部であるリッド２１と、台座部であるボトム２２、ボトム２２に装着されたトレイ２３から構成されている。リッド２１はボトム２２に対してヒンジ部２４を介して連結されている。ヒンジ部２４は、ボトム２２の背表紙部２２ａ側の両側面の端部に設けられた孔２２ｄに、リッド２１の２つのアーム部２１ａに設けられた突部２１ｂが係合することにより構成されている。これにより、リッド２１は両突部２１ｂを結ぶ直線を軸として開閉可能となっている。
【０００５】
リッド２１とボトム２２は光透過性を有するプラスチックからなり、トレイ２３は有色の樹脂によって形成されている。
【０００６】
トレイ２３は、中央部に突状のディスククランパ２３ｂを有し、背表紙部２２ａに対応する側でリッド２１の面と平行して外部に露出する部分２３ａを有する。これにより、２つのヒンジ部２４に挟まれた部分にボトム２２とトレイ２３によって囲まれたスペースが形成される。
【０００７】
また、ボトム２２の内底面とトレイ２３との間に裏カード２５Ａが設けられ、リッド２１の上面内側に表カード２５Ｂが設けられている。
【０００８】
しかし、上記の厚さ１０ｍｍジュエルケース２０は、保管占有スペースおよびパッケージングコストの面で問題があり、ＣＤや、ＣＤ−ＲＯＭなどの高価な光ディスクにおいてもスリムな（薄型の）簡易パッケージ化が進み、検索性が犠牲になってきている。例えば、一般にマルチケースと称される１２ｃｍＣＤを２〜４枚収納するためのプラスチック製のジュエルケースや、一般にマキシケースと称される主に直径１２ｃｍのマキシシングルＣＤやミニアルバムなどを1枚収納するための薄手のプラスチック製のジュエルケースなどの薄型のケースが用いられるようになってきた。
【０００９】
一方、記録可能な直径１２ｃｍのＣＤ−ＲやＣＤ−ＲＷなども、需要増大と価格低下に伴い、スリム且つ低コストのジュエルケースパッケージ、例えば厚さが５ｍｍのケースへの移行が急速に展開されている。
【００１０】
厚さが５ｍｍのジュエルケースの一例を図４４乃至図４６に示す。図４４はジュエルケースの上面図、図４５は図４４におけるＡ−Ａ’線矢視方向の側面図、図４６は図４４におけるＢ−Ｂ’線矢視方向の断面図である。
【００１１】
図において、４０は５ｍｍ厚のジュエルケースで、リッド４１とボトム４２とで構成される２ピースタイプのケースである。リッド４１とボトム４２は光透過性を有するプラスチックによって形成されている。また、ボトム４２は、その内底面中央部に突状のディスククランパ４２ｂを有している。
【００１２】
リッド４１はボトム４２に対してヒンジ部４３を介して連結されて開閉可能となっている。即ち、ヒンジ部４３は、ボトム４２の一側面両端に形成された２つのアーム部４２ａのそれぞれに設けられた突部４２ｃが、背表紙部４１ａ側のリッド４１の側面４１ｂに形成された孔４１ｃに係合することにより構成されている。これにより、リッド２１は両突部４２ｃを結ぶ直線を軸として開閉可能となっている。また、２つのヒンジ部４３に挟まれたスペース部分は底面側が開放されている。
【００１３】
【発明が解決しようとする課題】
しかしながら、厚さが５ｍｍのジュエルケースでは、背表紙部４１ａにタイトル記載は不可能となった。これは、構造的にタイトル記載紙が背表紙部４１ａに収納できなくなり、またタイトル記載紙を背表紙部４１ａに収納できたとしてもそれに記載できる文字高さは３ｍｍ以下となるため手書きは不可能である。
【００１４】
上記の５ｍｍ厚のジュエルケース４０を用いてＣＤ−ＲやＣＤ−ＲＷを保管する場合、ＣＤ−ＲやＣＤ−ＲＷのディスクレーベル面へのタイトルやインデックス等の手書きまたはプリンター印字は最低限必要であるため励行されているが、背表紙のタイトル表示がないため、検索性が著しく低下しているのが現状である。
【００１５】
そのため、光ディスク３１本体を収納するＣＤファイルを別途購入し、ジュエルケースからＣＤファイルに移行して検索性の一部改善と省スペースを行っているユーザも多い。この手段は、トータルコスト高とジュエルケースの無駄を伴い本来的ではない。
【００１６】
本発明の目的は上記の問題点に鑑み、薄型の光ディスク収納ケースの背表紙部に容易にタイトル表示ができる光ディスク収納ケース用タイトルバー及びタイトルプリンターを提供することである。
【００１７】
【課題を解決するための手段】
本発明は上記の目的を達成するために、光ディスクを固定する固定部を有するボトムとヒンジ部を介して前記ボトムに連結されたリッドとを備えた光ディスク収納ケースに装着するタイトルバーであって、前記収納ケースの光透過性を有する背表紙部の内側スペースに装着可能な棒状をなし、前記背表紙部の内側スペースに装着したときに前記ケースの背表紙部内面と対向するタイトル印字用の平面を有すると共に、長手方向両端部のうちの少なくとも一方に長手方向に伸縮するバネ構造を有し、前記内側スペースに装着したときに前記収納ケースに係止する係止手段を備えている光ディスク収納ケース用タイトルバーを提案する。
【００１８】
本発明の光ディスク収納ケース用タイトルバーは、タイトル印字用の平面が前記背表紙部に対向するように前記収納ケースの背表紙部の内側スペースに装着され、前記係止手段によって収納ケースからの脱落が防止される。さらに、前記タイトルバーのタイトル印字用平面に、プリンターなどを用いて容易にタイトルを印字することができる。
【００１９】
また、本発明のタイトルバーは、直径１２ｃｍの光ディスクを収納するケースの背表紙部の内側スペースに嵌着する形状をなしているので、一般に市販されているコンパクトディスクや、ＣＤ−Ｒ，ＣＤ−ＲＷを収納する収納ケースに容易に嵌着することができる。さらに、タイトルバーの厚さを収納ケースの厚さに対応して設定することにより、厚さが１０ｍｍ、７ｍｍ、５ｍｍの収納ケースに容易に嵌着することができる。
【００２０】
また、本発明では、タイトルバーの長手方向両端部のうちの少なくとも一方に長手方向に伸縮するバネ構造を設けることにより、前記収納ケースへの着脱を容易に行えるようにすると共に、前記収納ケースに対するタイトルバーの係止力の向上を図った。
【００２１】
また、本発明では、タイトルバーをサーマルプリント可能なプラスチックによって形成することにより、前記タイトル印字用の平面に熱転写型プリンターを用いたタイトル印字を可能とした。
【００２２】
また、本発明では、タイトルバーを金属板によって形成することにより、製造の容易性を図った。
【００２３】
また、本発明では、前記タイトル印字用の平面に水性インク対応コート剤をコーティングすることにより、前記タイトル印字用の平面にインクジェットプリンターを用いたタイトル印字を可能とした。
【００２４】
また、本発明のタイトルバーは、前記収納ケースの内側に露出している前記ヒンジ部のヒンジ軸受け穴に嵌合する凸部を長手方向の両端に設けることにより、収納ケースに対してタイトルバーを容易に係止させることができ、収納ケースからのタイトルバーの脱落を防止できる構成となっている。
【００２５】
また、本発明では、光ディスクのレーベル面にタイトルを印刷するタイトルプリンターの光ディスクを保持するトレイ上に上記タイトルバーを保持する溝を、前記タイトルバーのタイトル印字面が印字可能領域に配置されるように設けることにより、タイトルプリンターを用いてタイトルバーへのタイトル印字を容易に可能とした。
【００２６】
【発明の実施の形態】
以下、図面に基づいて、本発明の一実施形態を説明する。
【００２７】
図１は本発明の第１実施形態におけるタイトルバーを装着した光ディスク収納ケースを示す上面図、図２は図１におけるＡ−Ａ’線矢視方向側面図、図３は図１におけるＢ−Ｂ’線矢視方向断面図である。
【００２８】
図において、４０は光ディスク収納ケース、１０はタイトルバーである。光ディスク収納ケース（以下、単に収納ケースと称する）４０は、従来例で説明した厚さが５ｍｍの収納ケースであり、従来例と同一部分は同一符号をもって表しその説明を省略する。
【００２９】
図に示すように、タイトルバー１０は、収納ケース４０のスペース４４に装着されている。前述したように、厚さが５ｍｍの薄型ジュエルケースは、総厚を薄くするために、トレイを省き、裏カードも装着できない構成であるが、図に示すように、背表紙部後方に約１１８×９×４ｍｍのオープンスペース４４があり、従来利用されていない空間である。本実施形態は、このスペース４４に適合するタイトルバー１０を構成した。
【００３０】
タイトルバー１０の詳細を図４乃至図６に示す。図４はタイトルバー１０を示す上面図、図５は図４におけるＡ−Ａ’線矢視方向側面図、図６は図４におけるＢ−Ｂ’線矢視方向側面図である。
【００３１】
本実施形態では、タイトルバー１０の材質として、コストおよび着色、透明性等の選択性を考慮して、熱転写印字が可能なＰＳ（ポリスチレン）などのプラスチック材を使用した。また、タイトルバー１０の形状は、図４乃至図６に示すように、概略直方体形状の棒状をなし、長さＬが約１１９ｍｍ、幅Ｗが約６ｍｍ、厚さＴが約４ｍｍである。
【００３２】
タイトルバー１０の上面１０ａと底面１０ｂは収納ケース４０に装着したときの安定性を考慮して互いに平行な平面に形成されている。また、タイトルバー１０の長手方向の一端部には、上面１０ａから底面１０ｂに貫通する略Ｌ字形状の切り欠き部１１を形成することによって、略Ｌ字形状のバネ部１２が形成されている。さらに、バネ部１２の先端部すなわちタイトルバー１０の一端側の側面１０ｃには、収納ケース４０のヒンジ部４３に形成されている孔４１ｃに挿入可能な突部１３が設けられ、同様に、タイトルバー１０の他端側の側面１０ｄにも孔４１ｃに挿入可能な突部１４が設けられている。
【００３３】
また、上底面１０ａ、１０ｂに直角に交わるタイトルバー１０の長手方向に延びる２つの面１０ｅ，１０ｆのうちの一方の面（前面）１０ｅが平面を成してタイトル印字面１５を形成している。このタイトル印字面１５には後述するタイトルプリンターを用いて、図７に示すように６ｐｔ．〜７ｐｔ．サイズのタイトル文字が印字され、収納ケース４０のスペース４４にタイトル印字面が背表紙部４１ａ側に向くようにして装着される。
【００３４】
収納ケース４０にタイトルバー１０を装着するときには、バネ部１２を押し縮めて、図８に示すように、タイトルバー１０の両端に設けられている突部１３，１４のそれぞれを、収納ケース４０のヒンジ部４３に形成されている孔４１ｃの余剰部分に挿入する。これにより、タイトルバー１０は収納ケース４０に係止され、収納ケース４０に衝撃が加わったときにタイトルバー１０が脱落することがない。
【００３５】
上記第１実施形態では、タイトル印字面１５に熱転写印字が可能な構成としたが、インクジェットプリントを可能とするには、図９乃至図１１に示す第２実施形態のタイトルバー１０Ａのように、タイトル印字面１５に水性インク印刷が可能なＵＶ系レジンに吸水性部材を添加したコート剤１６をコーティングすればよい。このコート剤は、市販されているＣＤ−Ｒプリンタブルに使用されているコート剤と同一のものでよい。
【００３６】
次に、本発明の第３実施形態として、上記タイトルバー１０のタイトル印字面１５にタイトル印字を用に可能なプリンタを説明する。図１２は第３実施形態のプリンタを示す上面図である。
【００３７】
図において、５０はプリンタで、本体５１とトレイ５２を備えたもので、一般に市販されているＣＤ用レーベルプリンタとほぼ同一な構成である。現在市販されているプリンタと異なる部分は、トレイ５２にタイトルバー１０をタイトル印字面１５を上にして挿入する溝５５が設けられている点である。
【００３８】
即ち、トレイ５２の上面にはＣＤ−Ｒを位置決めして装着する円形の保持部５４が設けられている。さらに、本体５１に設けられた印字ヘッド５３の位置に対応してトレイ５２上の印字可能領域５６内にタイトル印字面１５を配置できるように溝５５が設けられている。尚、印字ヘッド５３は熱転写型であってもインクジェット型であっても良い。
【００３９】
上記プリンタ５０を用いてＣＤ−Ｒなどの光ディスク３１のレーベル面に印字すると、図１３に示すように主タイトル３２と演奏者などの副タイトル３３を容易に印字可能である。さらに、溝５５にタイトルバー１０を装着することによって、タイトルバー１０のタイトル印字面１５に容易にタイトルを印字することができる。
【００４０】
前述のように本発明のタイトルバー１０を装着した複数の収納ケース４０を並べて収納ボックスに収納した様子を図１４に示す。図において、３５は収納ボックスで、２０個以上の収納ケース４０が並べて収納されている。向かって右側の部分３６に収納されている収納ケース４０にはタイトルバー１０は装着されていない。向かって左側の部分３７に収納されている収納ケース４０にはタイトルバー１０が装着され、タイトルバー１０にタイトル印字が成されている。このようにタイトルバー１０を装着することにより光ディスクの検索性が改善される。
【００４１】
次に、本発明のタイトルバーの他の例について説明する。
【００４２】
図１５乃至図１７は、本発明の第４実施形態のタイトルバー１０Ｂを示す図で、図１５はタイトルバー１０Ｂの上面図、図１６は図１５におけるＡ−Ａ’線矢視方向側面図、図１７は図１５におけるＢ−Ｂ’線矢視方向側面図である。図において、前述した第１実施形態のタイトルバー１０と同一構成部分は同一符号をもって表しその説明を省略する。また、第４実施形態のタイトルバー１０Ｂと前述した第１実施形態のタイトルバー１０との相違点は、第４実施形態のタイトルバー１０Ｂには長手方向の両端部にバネ部が設けられている点である。
【００４３】
即ち、タイトルバー１０Ｂの長手方向の一端部には、前述したように略Ｌ字形状の切り欠き部１１が形成され、これにより略Ｌ字形状のバネ部１２が形成されている。また、他端部にも同様に上面１０ａから底面１０ｂに貫通する略Ｌ字形状の切り欠き部１７が形成され、これにより略Ｌ字形状のバネ部１８が形成されている。さらに、バネ部１２の先端部すなわちタイトルバー１０の一端側の側面１０ｃには、収納ケース４０のヒンジ部４３に形成されている孔４１ｃに挿入可能な突部１３が設けられ、同様に、他端側の側面１０ｄにも孔４１ｃに挿入可能な突部１４が設けられている。
【００４４】
この様にタイトルバー１０Ｂの長手方向の両端部にバネ部１２，１８を設けることにより、タイトルバー１０Ｂの長手方向の伸縮を大きくすることができるので、収納ケース４０へのタイトルバー１０Ｂの装着をさらに容易に行うことができる。
【００４５】
図１８乃至図２０は、本発明の第５実施形態のタイトルバー１０Ｃを示す図で、図１８はタイトルバー１０Ｃの上面図、図１９は図１８におけるＡ−Ａ’線矢視方向側面図、図２０は図１８におけるＢ−Ｂ’線矢視方向側面図である。図において、前述した第１実施形態のタイトルバー１０と同一構成部分は同一符号をもって表しその説明を省略する。また、第５実施形態のタイトルバー１０Ｃと前述した第１実施形態のタイトルバー１０との相違点は、第５実施形態のタイトルバー１０Ｃではタイトル印字面１５側とその反対側の側面のそれぞれに上面１０ａから底面１０ｂに貫通し、幅方向の中心に延びる複数の切り欠き部１１が交互に形成されている。これにより、蛇行形状のバネ部１２が形成されている。
【００４６】
この様にバネ部１２を蛇行形状に形成することにより、タイトルバー１０Ｃの長手方向の伸縮を大きくすることができるので、収納ケース４０へのタイトルバー１０Ｃの装着をさらに容易に行うことができる。
【００４７】
図２１乃至図２３は、本発明の第６実施形態のタイトルバー１０Ｄを示す図で、図２１はタイトルバー１０Ｄの上面図、図２２は図２１におけるＡ−Ａ’線矢視方向側面図、図２３は図２１におけるＢ−Ｂ’線矢視方向側面図である。図において、前述した第５実施形態のタイトルバー１０Ｃと同一構成部分は同一符号をもって表しその説明を省略する。また、第６実施形態のタイトルバー１０Ｄと前述した第５実施形態のタイトルバー１０Ｃとの相違点は、第６実施形態のタイトルバー１０Ｄには長手方向の両端部にバネ部が設けられている点である。
【００４８】
即ち、タイトルバー１０Ｄの長手方向の一端部には、前述したように複数の切り欠き部１１が形成され、これにより蛇行形状のバネ部１２が形成されている。また、他端部にも同様に上面１０ａから底面１０ｂに貫通する複数の切り欠き部１７が形成され、これにより蛇行形状のバネ部１８が形成されている。さらに、バネ部１２の先端部すなわちタイトルバー１０の一端側の側面１０ｃには、収納ケース４０のヒンジ部４３に形成されている孔４１ｃに挿入可能な突部１３が設けられ、同様に、他端側の側面１０ｄにも孔４１ｃに挿入可能な突部１４が設けられている。
【００４９】
この様にタイトルバー１０Ｄの長手方向の両端部に蛇行形状のバネ部１２，１８を設けることにより、タイトルバー１０Ｄの長手方向の伸縮を大きくすることができるので、収納ケース４０へのタイトルバー１０Ｄの装着をさらに容易に行うことができる。
【００５０】
次に、本発明の第７実施形態のタイトルバーを図２４乃至図２８を参照して説明する。
【００５１】
図２４は第７実施形態のタイトルバーを示す上面図、図２５は図２４におけるＡ−Ａ’線矢視方向側面図、図２６は図２４におけるＢ−Ｂ’線矢視方向側面図、図２７は展開図、図２８は収納ケースへの装着状態を示す断面図である。
【００５２】
第７実施形態のタイトルバー６０は、収納ケース４０のスペース４４に装着可能な形状を有し、前述と同様の機能を備えたタイトルバーを金属板にて形成したものである。この場合、脱落防止の突部を設ける変わりにシャープエッジ部６３，６４のバネ圧で摩擦係数を高めて脱落防止を図った。
【００５３】
即ち、タイトルバー６０は、１枚の金属板を図２７に示す形状に切り取ったのち、破線に沿って折り曲げて形成され、上面６１とタイトル印字面６２、シャープエッジ部６３，６４から構成されている。シャープエッジ部６３，６４のそれぞれは、三角形を成し、タイトル印字面６２の長手方向の両端部に設けられている。
【００５４】
上記構成のタイトルバー６０を収納ケース４０に装着するときは、リッド４１の上面内側に上面６１を当接させ、且つタイトル印字面６２が背表紙部４１ａの内面に当接するように装着する。このとき、シャープエッジ部６３，６４の先端がヒンジ部４３のリッド側面４１ｂの内側を押圧して、タイトルバー６０が収納ケース４０に係止される。
【００５５】
タイトルバー６０のタイトル印字面６２には熱転写印字が可能であるため、熱転写プリンタを用いて容易にタイトルを印字することができる。また、タイトル印字面に前述したコート剤１６をコーティングすることによりインクジェットプリンタによるタイトル印字も可能となる。
【００５６】
次に、本発明に係る第１参考例のタイトルバーを図２９乃至図３１を参照して説明する。
【００５７】
図２９は第１参考例のタイトルバーの上面図、図３０は図２９におけるＡ−Ａ’線矢視方向側面図、図３１は図２９におけるＢ−Ｂ’線矢視方向側面図、図３２は収納ケースへの装着状態を示す断面図である。
【００５８】
第１参考例のタイトルバー８０は、ポリスチレンなどの熱転写印字可能なプラスチックからなり、収納ケース４０のスペース４４に装着可能な直方体形状をなしている。さらに、上面８０ａには両面粘着テープ８２が設けられている。
【００５９】
タイトルバー８０のタイトル印字面８１には熱転写印字が可能であるため、熱転写プリンタを用いて容易にタイトルを印字することができる。尚、タイトル印字面８１に前述したコート剤１６をコーティングすることによりインクジェットプリンタによるタイトル印字も可能となる。
【００６０】
上記構成のタイトルバー８０を収納ケース４０のスペース４４内に装着するときは、タイトル印字面８１を背表紙部４１ａの内面に当接させた状態で、リッド４１の上面内側に両面粘着テープ８２を接着すればよい。これにより、タイトルバー８０を収納ケース４０に係止させることができる。
【００６１】
前述したように、第１参考例のタイトルバーを用いることにより薄型の収納ケースにも容易に背表紙部のタイトル印字を行うことができる。
【００６２】
尚、上記第１参考例では主に厚さ５ｍｍの収納ケースに適応したタイトルバーについて説明したが、厚さ７ｍｍや１０ｍｍの収納ケース用のタイトルバーも同様の構成で対応できる。この場合は、収納ケースの構造上、衝撃によるタイトルバーの脱落の心配はないため、上記の様なヒンジ部の孔に係止する突部を設ける必要はなくなる。
【００６３】
また、７ｍｍジュエルケースの場合は着脱のためのバネ部、またはケース蓋のバネ性を利用する半球の突部を設けたタイトルバーで対応できる。例えば、図３３乃至図３６に、前述した厚さ１０ｍｍや厚さ５ｍｍの収納ケースとは構造が異なる厚さ７ｍｍの収納ケースに装着するタイトルバーの一例を示す。
【００６４】
図３３は第２参考例のタイトルバーの上面図、図３４は図３３におけるＡ−Ａ’線矢視方向側面図、図３５は図３３におけるＢ−Ｂ’線矢視方向側面図、図３６は収納ケースへの装着状態を示す断面図である。
【００６５】
図において、９０はタイトルバーで、ポリスチレンなどの熱転写印字可能なプラスチックからなり、６つの面９０ａ〜９０ｆを有し、厚さ７ｍｍの収納ケース１００のスペース１０２に装着可能な直方体形状をなしている。また、、底面９０ｂには２つの半球状の突部９２が形成されている。これらの突部９２は、スペース１０２内にタイトルバー９０を装着したときにタイトルバーの脱落を防止するためのもので、タイトル印字面９１とは反対側の側面がわに設けられている。
【００６６】
即ち、厚さ７ｍｍの収納ケース１００は、厚さ５ｍｍの収納ケース４０と同様にリッド１０１とボトム１０２とから構成されているが、背表紙部１０２ａの内側スペース１０２ｂはボトム１０２を形成する部材によって囲まれて袋状になっている。このスペース１０２にタイトルバー９０を挿入すると、ボトム１０２の底面１０２ｃに上面９０ａが当接すると対向面１０２ｄを突部９２が押圧するので、スペース１０２ｂからタイトルバー９０が脱落し難くなる。
【００６７】
また、厚さ１０ｍｍの収納ケース用のタイトルバーの場合は、図３７乃至図４０に示す第８実施形態のように、タイトルバー１０Ｅの一部に着脱のためのバネ部を設けたタイトルバーで対応できる。即ち、第８実施形態のタイトルバー１０Ｅは、前述した第１実施形態のタイトルバー１０から長手方向両端の突部を除去し、厚さを約８ｍｍにしたものである。
【００６８】
このタイトルバー１０Ｅは、厚さ１０ｍｍの収納ケース２０に装着するとボトム２２とトレイ２３によって挟まれた状態になるので、脱落が防止される。
【００６９】
以上のタイトルバーを活用することにより、収納ケース入り光ディスクのファイリングケース３５から必要なタイトルのディスクを容易に抽出ことができるようになる。
【００７０】
尚、本発明のタイトルバーは、ＣＤ−ＲやＣＤ−ＲＷに限らずＣＤ−ＲＯＭやＤＶＤなどの収納ケースにも適応可能であることは言うまでもないことである。
【００７１】
【発明の効果】
以上説明したように本発明によれば、光ディスク用の厚さ５ｍｍの薄型収納ケースに何らかの形状変更を加えずに、背表紙部へのタイトル表示が可能となり必要なディスクの取り出しが著しく早められ、検索性と省スペースを両立させることが可能となる。これにより、薄型収納ケースの欠点が解消され、原価コストの高い厚さ１０ｍｍ収納ケース入りの光ディスクの生産比率を低減させることが可能となり、需要と供給の両サイドにとってコストメリットの向上を図ることができる。特にオーディオ記録の頻度およびその光ディスクの繰り返し検索頻度は高く、省スペース、検索性の効果は顕著である。
【００７２】
また、すでに市販されている各種熱転写式タイトルプリンターに、本発明のタイトルバーが装着可能な構造への改造及びタイトルバーへの印刷ソフトの追加は容易であり、従って新規のタイトルバー専用プリンターを製品化する必要はなく、既存タイトルプリンターの機能向上に寄与できると同時にタイトルバーの普及を促進することができる。
【００７３】
また、厚さ１０ｍｍの収納ケース入りＣＤ−ＲやＣＤ−ＲＷは背表紙へのタイトル記載は手書き対応可能であるが、近年、ディスクレーベル面へのタイトルやインデックス記載が手書きからタイトルプリンター印字に移行しているので、背表紙タイトルも同時に印字できるタイトルバーを広く普及させることができる。
【図面の簡単な説明】
【図１】  本発明の第１実施形態におけるタイトルバーを装着した光ディスク収納ケースを示す上面図
【図２】  図１におけるＡ−Ａ’線矢視方向側面図
【図３】  図１におけるＢ−Ｂ’線矢視方向断面図
【図４】  本発明の第１実施形態のタイトルバーを示す上面図
【図５】  図４におけるＡ−Ａ’線矢視方向側面図
【図６】  図４におけるＢ−Ｂ’線矢視方向側面図
【図７】  本発明の第１実施形態のタイトルバーへのタイトル印字例を示す図
【図８】  本発明の第１実施形態のタイトルバーの収納ケースへの装着時の要部を示す断面図
【図９】  本発明の第２実施形態のタイトルバーを示す上面図
【図１０】  図９におけるＡ−Ａ’線矢視方向側面図
【図１１】  図９におけるＢ−Ｂ’線矢視方向側面図
【図１２】  本発明の第３実施形態におけるタイトルプリンターを示す上面図
【図１３】  本発明に係る光ディスクのレーベル印刷の一例を示す図
【図１４】  本発明のタイトルバーを装着した収納ケースの収納ボックスへの収納状態を示す図
【図１５】  本発明の第４実施形態のタイトルバーを示す上面図
【図１６】  図１５におけるＡ−Ａ’線矢視方向側面図
【図１７】  図１５におけるＢ−Ｂ’線矢視方向側面図
【図１８】  本発明の第５実施形態のタイトルバーを示す上面図
【図１９】  図１８におけるＡ−Ａ’線矢視方向側面図
【図２０】  図１８におけるＢ−Ｂ’線矢視方向側面図
【図２１】  本発明の第６実施形態のタイトルバーを示す上面図
【図２２】  図２１におけるＡ−Ａ’線矢視方向側面図
【図２３】  図２１におけるＢ−Ｂ’線矢視方向側面図
【図２４】  本発明における第７実施形態のタイトルバーを示す上面図
【図２５】  図２４におけるＡ−Ａ’線矢視方向側面図
【図２６】  図２４におけるＢ−Ｂ’線矢視方向側面図
【図２７】  本発明における第７実施形態のタイトルバーの展開図
【図２８】  本発明における第７実施形態の収納ケースへの装着状態を示す断面図
【図２９】  本発明に係る第１参考例のタイトルバーを示す上面図
【図３０】  図２９におけるＡ−Ａ’線矢視方向側面図
【図３１】  図２９におけるＢ−Ｂ’線矢視方向側面図
【図３２】  本発明に係る第１参考例の収納ケースへの装着状態を示す断面図
【図３３】  本発明に係る第２参考例のタイトルバーを示す上面図
【図３４】  図３３におけるＡ−Ａ’線矢視方向側面図
【図３５】  図３３におけるＢ−Ｂ’線矢視方向側面図
【図３６】  本発明に係る第２参考例の収納ケースへの装着状態を示す断面図
【図３７】  本発明における第８実施形態のタイトルバーを示す上面図
【図３８】  図３７におけるＡ−Ａ’線矢視方向側面図
【図３９】  図３７におけるＢ−Ｂ’線矢視方向側面図
【図４０】  本発明における第８実施形態の収納ケースへの装着状態を示す断面図
【図４１】  従来例の厚さ１０ｍｍのジュエルケースの上面図
【図４２】  図４１におけるＡ−Ａ’線矢視方向の側面図
【図４３】  図４１におけるＢ−Ｂ’線矢視方向の断面図
【図４４】  従来例の厚さ５ｍｍのジュエルケースの上面図
【図４５】  図４４におけるＡ−Ａ’線矢視方向側面図
【図４６】  図４４におけるＢ−Ｂ’線矢視方向断面図
【符号の説明】
１０、１０Ａ〜１０Ｅ…タイトルバー、１０ａ…上面、１０ｂ…底面、１０ｃ，１０ｄ…側面、１０ｅ…前面、１０ｆ…後面、１１…切り欠き、１２…バネ部、１３、１４…突部、１５…タイトル印字面、１６…コーティング剤、１７…切り欠き、１８…バネ部、２０…収納ケース、２１…リッド、２１ａ…アーム部、２１ｂ…突部、２２…ボトム、２２ａ…背表紙部、２２ｄ…孔、２３…トレイ、２４…ヒンジ部、３１…光ディスク、３２，３３…タイトル、３５…収納ボックス、４０…収納ケース、４１…リッド、４１ａ…背表紙部、４１ｂ…側面、４１ｃ…孔、４２…ボトム、４２ａ…アーム部、４２ｂ…ディスククランパ、４２ｃ…突部、５０…タイトルプリンター、５１…本体、５２…トレイ、５３…印字ヘッド、５４…保持部、５５…溝、５６…印字可能領域、６０…タイトルバー、６１…上面、６２…タイトル印字面、６３，６４…シャープエッジ部、８０…タイトルバー、８０ａ…上面、８０ｂ…底面、８０ｃ、８０ｄ…側面、８０ｅ…前面、８０ｆ…後面、８１…タイトル印字面、８２…両面粘着テープ、９０…タイトルバー、９０ａ…上面、９０ｂ…底面、９０ｃ、９０ｄ…側面、９０ｅ…前面、９０ｆ…後面、９１…タイトル印字面、１００…収納ケース、１０１…リッド、１０２…ボトム、１０２ａ…背表紙部、１０２ｂ…スペース。
【図１】
0003990163.tif 000002
【図２】
0003990163.tif 000003
【図３】
0003990163.tif 000004
【図４】
0003990163.tif 000005
【図５】
0003990163.tif 000006
【図６】
0003990163.tif 000007
【図７】
0003990163.tif 000008
【図８】
0003990163.tif 000009
【図９】
0003990163.tif 000010
【図１０】
0003990163.tif 000011
【図１１】
0003990163.tif 000012
【図１２】
0003990163.tif 000013
【図１３】
0003990163.tif 000014
【図１４】
0003990163.tif 000015
【図１５】
0003990163.tif 000016
【図１６】
0003990163.tif 000017
【図１７】
0003990163.tif 000018
【図１８】
0003990163.tif 000019
【図１９】
0003990163.tif 000020
【図２０】
0003990163.tif 000021
【図２１】
0003990163.tif 000022
【図２２】
0003990163.tif 000023
【図２３】
0003990163.tif 000024
【図２４】
0003990163.tif 000025
【図２５】
0003990163.tif 000026
【図２６】
0003990163.tif 000027
【図２７】
0003990163.tif 000028
【図２８】
0003990163.tif 000029
【図２９】
0003990163.tif 000030
【図３０】
0003990163.tif 000031
【図３１】
0003990163.tif 000032
【図３２】
0003990163.tif 000033
【図３３】
0003990163.tif 000034
【図３４】
0003990163.tif 000035
【図３５】
0003990163.tif 000036
【図３６】
0003990163.tif 000037
【図３７】
0003990163.tif 000038
【図３８】
0003990163.tif 000039
【図３９】
0003990163.tif 000040
【図４０】
0003990163.tif 000041
【図４１】
0003990163.tif 000042
【図４２】
0003990163.tif 000043
【図４３】
0003990163.tif 000044
【図４４】
0003990163.tif 000045
【図４５】
0003990163.tif 000046
【図４６】
0003990163.tif 000047